(57)【特許請求の範囲】
【請求項１】
間隙を有して隣接する第一構造物と第二構造物に、ホルダにより上記間隙のカバー部材を取付け、このカバー部材を係留索で上記構造物に係留することでカバー部材の落下を防止させるエキスパンションジョイントカバーの落下防止構造において、
上記係留索の端部を止着する索止金具を構造物側に取付け、カバー部材側には複数の索孔をあけた索支持部を設けて、構造物側の索支持部とカバー部材側の索支持部とに係留索の両端を止着させ、
上記索止金具には、上記構造物に取付け可能な第１取付部と、上記カバー部材に取付け可能な第２取付部と、を有するように形成して、上記索止金具を、上記構造物側にもカバー部材側にも取付け可能としたことを特徴とするエキスパンションジョイントカバーの落下防止構造。
【請求項２】
間隙を有して隣接する第一構造物と第二構造物に、ホルダにより上記間隙のカバー部材を取付け、このカバー部材を係留索で上記構造物に係留することでカバー部材の落下を防止させるエキスパンションジョイントカバーの落下防止構造において、
上記係留索の端部を止着する索止金具をカバー部材側に取付け、構造物側に取付けたカバー部材のホルダ等に複数の索孔をあけた索支持部を設けて、カバー部材側の索支持部と構造物側の索支持部とに係留索の両端を止着させ、
上記索止金具には、上記構造物に取付け可能な第１取付部と、上記カバー部材に取付け可能な第２取付部と、を有するように形成して、上記索止金具を、上記構造物側にもカバー部材側にも取付け可能としたことを特徴とするエキスパンションジョイントカバーの落下防止構造。
【請求項３】
上記索止金具が第１取付部を構造物に沿えて、取付孔から構造物にねじを締め込むと構造物に直接取付けられるものであることを特徴とする請求項１〜請求項２のいずれかに記載のエキスパンションジョイントカバーの落下防止構造。
【請求項４】
上記索止金具の索支持部にあけた索孔と、カバー部材又はそのホルダに設けた索支持部にあける索孔が、挿し通した係留索に蛇行を生じさせるように複数個設けられていることを特徴とする請求項１〜請求項３のいずれかに記載のエキスパンションジョイントカバーの落下防止構造。
【請求項５】
上記索止金具の索支持部にあけた索孔と、カバー部材又はそのホルダ部に設けた索支持部にあけられる索孔に挿し通す係留索が剛性材料で形成されていることを特徴とする請求項１〜請求項４のいずれかに記載のエキスパンションジョイントカバーの落下防止構造。
【発明の詳細な説明】
【技術分野】
【０００１】
本発明は、第一構造物と第二構造物との間隙を閉塞させるカバー部材が地震等で落下するのを防止させるエキスパンションジョイントカバーの落下防止構造に関する。
【背景技術】
【０００２】
従来、カバープレートがねじ等で基材側に着脱自在に取付けられているとともに、ステンレスワイヤ等の索類で結合されているエキスパンションジョイント金物におけるカバープレートの結合部の構造において、索の一端を索止金具でカバープレートに止着し、他端をフィラティシグマにより基材に止着したものは（特許文献１）により知られており、また、隣接する建造物躯体の隙間部に対設された固定部材にカバー部材を係合部材を介して取着するエキスパンションジョイントにおいて、前記固定部材とカバー部材の背面側突縁とを連繋具を介して連繋するカバー部材の落下防止構造であって、連繋具の一端を取付金具で建造物躯体側に止着し、他端を係止金具でカバー部材側に止着したものは（特許文献２）により知られている。
【先行技術文献】
【特許文献】
【０００３】
【特許文献１】特開昭６１−１９１７４４号公報
【特許文献２】特開昭６３−３１５７４９号公報
【０００４】
しかしながら、上記カバー部材の落下防止構造は、いずれも基材又は建造物躯体側とカバー部材側とでは、異なるワイヤ又は連繋具の端部止着金具を用いるため、部品の種類が多くなって割高コストとなり、また、部品ごとに取付け方が違うので、取付けに手間が掛かって施工費も嵩むことになる。更に、これらの落下防止構造では一方の止着金具を嵌構造としてあるため、抜け止め手段を講じても離脱が起きて落下防止の効果に乏しくて、止着金具を基材又は建造物躯体側へ直接取付けることにより、ワイヤや連繋具によるカバー部材の係留を確実で安定したものにすることができない問題点がある。
【発明の概要】
【発明が解決しようとする課題】
【０００５】
本発明は前記問題点を解消し、２種類の取付部を備える索止金具を用いることで、索止金具を構造物側にもカバー部材側にも取付け可能として、カバー部材の係留索による落下防止を簡単確実に行えるエキスパンションジョイントカバーの落下防止構造を提供することを課題とする。
【課題を解決するための手段】
【０００６】
上記課題を解決するため、請求項１に係る発明は、間隙を有して隣接する第一構造物と第二構造物に、ホルダにより上記間隙のカバー部材を取付け、このカバー部材を係留索で上記構造物に係留することでカバー部材の落下を防止させるエキスパンションジョイントカバーの落下防止構造において、上記係留索の端部を止着する索止金具を構造物側に取付け、カバー部材側には複数の索孔をあけた索支持部を設けて、構造物側の索支持部とカバー部材側の索支持部とに係留索の両端を止着させ、上記索止金具には、上記構造物に取付け可能な第１取付部と、上記カバー部材に取付け可能な第２取付部と、を有するように形成して、上記索止金具を、上記構造物側にもカバー部材側にも取付け可能としたことを特徴とする。
【０００７】
請求項２に係る発明は、間隙を有して隣接する第一構造物と第二構造物に、ホルダにより上記間隙のカバー部材を取付け、このカバー部材を係留索で上記構造物に係留することでカバー部材の落下を防止させるエキスパンションジョイントカバーの落下防止構造において、上記係留索の端部を止着する索止金具をカバー部材側に取付け、構造物側に取付けたカバー部材のホルダ等に複数の索孔をあけた索支持部を設けて、カバー部材側の索支持部と構造物側の索支持部とに係留索の両端を止着させ、上記索止金具には、上記構造物に取付け可能な第１取付部と、上記カバー部材に取付け可能な第２取付部と、を有するように形成して、上記索止金具を、上記構造物側にもカバー部材側にも取付け可能としたことを特徴とする。
【０００８】
請求項３に係る発明は、請求項１又は２において、上記索止金具が第１取付部を構造物に沿えて、取付孔から構造物にねじを締め込むと構造物に直接取付けられるものであることを特徴とする。
【０００９】
請求項４に係る発明は、請求項１〜３のいずれかにおいて、上記索止金具の索支持部にあけた索孔と、カバー部材又はそのホルダに設けた索支持部にあける索孔が、挿し通した係留索に蛇行を生じさせるように複数個設けられていることを特徴とする。
【００１０】
請求項５に係る発明は、請求項１〜４のいずれかにおいて、上記索止金具の索支持部にあけた索孔と、カバー部材又はそのホルダ部に設けた索支持部にあけられる索孔に挿し通す係留索が剛性材料で形成されていることを特徴とする。
【発明の効果】
【００１１】
請求項１に係る発明によれば、構造物側に索止金具を取付け、カバー部材側に索支持部を設けて、構造物側の索止金具の索支持部とカバー部材側の索支持部に設けた複数個の索孔に係留索の両端を止着すれば、カバー部材は係留索で構造物に係留されて、地震等でカバー部材がホルダより離脱した際の落下が確実に防止され、しかも、カバー部材側に索支持部を設けて係留索の直接止着を行えば、部品数を減らして確実な係留を行うことができる。
【００１２】
請求項２に係る発明によれば、カバー部材側に索止金具を取付け、構造物側に取付けたカバー部材のホルダ等に索支持部を設けて、カバー部材側の索止金具の索支持部と、構造物側の索支持部に設けた複数の索孔に係留索の両端を止着すれば、カバー部材は係留索で構造物側のホルダ等に係留されて、地震等でカバー部材がホルダより離脱した際の落下を確実に防止され、しかも、カバー部材のホルダ等に索支持部を設けて係留索の直接止着を行えば、部品数を減らして確実な係留を行うことができる。
【００１３】
請求項３に係る発明によれば、第１取付部を構造物に沿えて、構造物にねじを締め込むと、索止金具が強固に構造物に固定されて、係留索によるカバー部材の係留を確実にする。
【００１４】
請求項４に係る発明によれば、索止金具の索支持部とカバー部材の裏側凸条やそのホルダ等にあける索孔を複数個にすると、係留索を縫うように挿し通すことで係留索が蛇行して滑らないようになるので、端末の結び止めを行わなくても係留索が確実に固定されて抜けや位置ずれを生ずることがない。
【００１５】
請求項５に係る発明によれば、剛性材料で形成される係留索は、複数個の索孔へ縫うように挿し通して蛇行させると、復元力で各通し孔と強力な摩擦を行い、強い引張力が作用しても抜けるおそれがない。
【図面の簡単な説明】
【００１６】
【図１】エキスパンションジョイントカバーの落下防止構造の実施形態を示す斜視図
【図２】（ａ）（ｂ）は同上構造に用いた索止金具の斜視図
【図３】同上索止金具を第一構造物の壁体へ取付けた状態の説明図
【図４】同上索止金具を第一構造物の天井板へ取付けた状態の説明図
【図５】同上索止金具をカバー部材の側縁へ取付けた状態を示す説明図
【図６】同上索止金具をカバー部材の側縁へ取付けた状態の他の例を示す説明図
【図７】同上索止金具をカバー部材の側縁へ取付けた状態の更に他の例を示す説明図
【図８】エキスパンションジョイントカバーの落下防止構造の別の実施形態を示す斜視図
【図９】同上構造の平面図
【図１０】請求項１に係る発明のエキスパンションジョイントカバーの落下防止構造の第１の実施形態を示す斜視図
【図１１】同上構造の平面図
【図１２】請求項１に係る発明のエキスパンションジョイントカバーの落下防止構造の第２の実施形態を示す斜視図
【図１３】同上構造の平面図
【図１４】請求項２に係る発明のエキスパンションジョイントカバーの落下防止構造の実施形態を示す斜視図
【図１５】同上構造の平面図
【発明を実施するための形態】
【００１７】
以下に本発明に係るエキスパンションジョイントカバーの落下防止構造の実施形態を図面に付いて説明する。
【００１８】
図１において符号Ａは、エキスパンションジョイントカバーの落下防止構造を示す。この落下防止構造Ａは、間隙Ｓを有して隣接する第一構造物１と第二構造物２が天井板（ａ１）と（ａ２）である場合、上記間隙Ｓに取付部３によって野縁４へ取付けられたホルダ５が設けられ、このホルダ５にカバー部材６の裏側に設けた突条６ａを係合させることで、カバー部材６が間隙Ｓを覆うように配置される。そして、このカバー部材６は係留索７で上記第一構造物１又は第二構造物２へ係留することによって突条６ａがたとえホルダ５から外れても落下を生ずることがないようにする。
【００１９】
上記係留索７の端部を、第一構造物１又は第二構造物２あるいはカバー部材６に止着する索止金具８は、図１に示す通り第一構造物１にねじ９で取付ける通孔１０を図２（ａ）（ｂ）に示す通り、あけた第１取付部８ａと、この第１取付部８ａの一端に折曲げ形成してカバー部材６に図１に示すねじ１１で取付けるねじ孔１２をあけた幅の狭い第２取付部８ｂと、第１取付部８ａの他端に段差１３を有するように連設して、上記係留索７を通す索孔１４を複数個あけた索支持部８ｃとを有するように形成することで、この索止金具８を上記第一構造物１又は第二構造物２側にも、カバー部材６側にも取付けることを可能としてある。
【００２０】
上記索止金具８の第１取付部８ａにあけられた通孔１０は、図２（ａ）に示す通り、公知の円孔でもよいが、図２（ｂ）に示す通り、外方へ開口するＵ字形に形成すれば、同図に鎖線で示すとおり野縁４等へ仮締めしてあるねじ９に対して、横から嵌め着けることができて便利である。
【００２１】
上記構成の実施形態によれば、索止金具８が第１及び第２の２種類の取付部８ａと取付部８ｂを備えるため、第１取付部８ａを用いれば、間隙Ｓを有して隣接する第一構造物１と第二構造物２が図３に示す壁体（ｂ１）（ｂ２）である場合は、例えば、壁体（ｂ１）側の表面に通孔１０に通したねじ９の締め付けで第１取付部８ａを取付けることができ、また、間隙Ｓを有して隣接する第一構造物１と第二構造物２が図４に示す通り、天井板（ａ１）（ａ２）である場合は、各々を裏側で支持する野縁４の表面に通孔１０に通したねじ９の締め付けで第１取付部８ａを取付けることができる。
【００２２】
また、第２取付部８ｂを用いれば、図５〜図７に示す通り、カバー部材６の側縁６ｂにねじ１１で取付けることができるものであり、取付けの態様は、カバー部材６に設けた側縁の立上高によって異なる。すなわち、カバー部材６の側縁６ｂの立上高が図５に示す通り、第２取付部８ｂの幅よりも小さい場合は、第２取付部８ｂの基部が側縁６ｂを内側に折り返した折返部６ｃの先端部に当って安定するようにし、側縁６ｂの立上高が図６及び図７に示す通り大きい場合は、第１取付部８ａを図６に示す通り、カバー部材６の裏面に添えた状態で第２取付部８ｂを側縁６ｂの内面に密着させて安定させるか、第１取付部８ａを図７に示す通り、カバー部材６の裏面から離れた状態で、第２取付部８ｂを側縁６ｂに密着させて安定させるかして、側縁６ｂにあけた取付孔１５を通したねじ１１をねじ孔１２に締め込むことでカバー部材６側に取付けることができる。なお、図７に示すカバー部材は６ｐと６ｑの２つに分割形成して、中央部が重なり合うように形成してある。
【００２３】
図８、図９のエキスパンションジョイントカバーの落下防止構造Ａは、間隙Ｓを有して隣接する第一構造物１と第二構造物２が天井板（ａ１）と（ａ２）であって、上記間隙Ｓに取付部材３によって野縁４に取付けられたホルダ５が設けられ、このホルダ５にカバー部材６の裏側に設けた突条６ａを係合させることで、カバー部材６が間隙Ｓを覆うように配置される。そして、このカバー部材６を係留索７で上記第一構造物１又は第二構造物２へ係留することにより、突条６ａがたとえホルダ５より外れても落下を生ずることがないようにしたものであり、係留索７の一端を止着する索止金具８は、第１取付部８ａで第一構造物１、第二構造物２を裏側で支持する野縁４にねじ９で取付けられ、第２取付部８ｂでカバー部材６の側縁６ｂにねじ１１により取付けられることを特徴とする。
【００２４】
上記構成によれば、第一構造物１側において野縁４にねじ９で取付けられる索止金具８の索支持部８ｃと、カバー部材６の側縁６ｂにねじ１１で取付けられる索止金具８の索支持部８ｃにそれぞれあけられる３個以上の索孔１４に鋼線ワイヤ等の係留索７の端部を挿し通せば、係留索７は蛇行して索孔１４と摩擦係合し、抜けやずれを生ずることがない強固な支持を行われるので、地震等の発生時等にカバー部材６の突条６ａがホルダ５より離脱することがあっても、カバー部材６は係留索７で第一構造物１に係留されて落下することを確実に防止される。なお、この実施形態は第一構造物１、第二構造物２が図３に示す壁体（ｂ１）（ｂ２）である場合にも適用できることは勿論である。
【００２５】
図１０、図１１のエキスパンションジョイントカバーの落下防止構造Ａは、間隙Ｓを有して隣接する第一構造物１と第二構造物２が壁体（ｂ１）と（ｂ２）であって、上記間隙Ｓに例えば、一方の壁体（ｂ１）へ取付部３で取付けられたホルダ５が設けられ、このホルダ５にカバー部材６の裏側に設けた突条６ａを係合させることで、カバー部材６が間隙Ｓを覆うように配置される。そして、このカバー部材６を係留索７で上記第一構造物１又は第二構造物２に係留することにより、突条６ａが例えホルダ５より外れても落下を生ずることがないようにしたものであり、係留索７の一端は、第一構造物１又は第二構造物２側に取付けた索止金具８の索支持部８ｃに止着するが、他端はカバー部材６の裏側に設けられる突条６ａに２個以上の索孔１６をあけた索支持部１７を設けて、この索支持部１７に止着させることを特徴とする。
【００２６】
上記構成によれば、第一構造物１の壁体（ｂ１）へねじ９で取付けた索止金具８の索支持部８ｃと、カバー部材６の裏側に設けた突条６ａの索支持部１７に、それぞれ複数個の索孔１４、索孔１６をあけて、これら索孔１４、索孔１６に鋼線ワイヤ等の係留索７の端部を挿し通すと、係留索７は蛇行して索孔１４、索孔１６と摩擦係合し、抜けやずれを生じないように強固に支持されるから、地震等の発生時等にカバー部材６の突条６ａがホルダ５から離脱することがあっても、カバー部材６は係留索７で第一構造物１に係留されて落下を確実に防止されるものであり、しかも、係留索７の一端の止着にはカバー部材６の裏側の突条６ａを索支持部１７に利用することで、使用部品を減らすとともに止着を確実なものとすることができる。
【００２７】
図１２、図１３のエキスパンションジョイントカバーの落下防止構造Ａは、間隙Ｓを有して隣接する第一構造物１と第二構造物２が天井板（ａ１）と（ａ２）であって、上記間隙Ｓに取付部材３によって野縁４に取付けられたホルダ５が設けられ、このホルダ５にカバー部材６の裏側に設けた突条６ａを係合させることで、カバー部材６が間隙Ｓを覆うように配置して、このカバー部材６を係留索７で上記第一構造物１又は第二構造物２へ係留することにより突条６ａが例えホルダ５より外れても落下を生ずることがないようにしたものであり、係留索７の一端は、第一構造物１、第二構造物２側に取付けた索止金具８の索支持部８ｃに止着するが、他端はカバー部材６の裏側に設けられる突条６ａに２個以上の索孔１６をあけた索支持部１７に止着させることを特徴とする。
【００２８】
上記構成によれば、第一構造物１の天井板（ａ１）側で野縁４にねじ９により取付けられる索止金具８の索支持部８ｃと、カバー部材６の裏側に設けられる突条６ａの索支持部１７に、それぞれあけられる複数個の索孔１４、索孔１６に鋼線ワイヤ等の係留索７の端部を挿し通すと、係留索７は蛇行して索孔１４、索孔１６と摩擦係合し、抜けやずれを生ずることがない強固な支持を行われるので、地震等の発生時等にカバー部材６の突条６ａがホルダ５から離脱することがあっても、カバー部材６は係留索７で第一構造物１に係留されて落下を確実に防止されるものであり、しかも、係留索７の一端の止着にはカバー部材６の裏側の突条６ａを索支持部１７に利用するから、使用部品を減らすとともに止着を確実にすることができる。
【００２９】
図１４、図１５の実施形態のエキスパンションジョイントカバーの落下防止構造Ａは、間隙Ｓを有して隣接する第一構造物１と第二構造物２が壁体（ｂ１）と（ｂ２）であって、上記間隙Ｓに例えば、一方の壁体（ｂ１）と、他方の壁材（ｂ２）とに取付部３ｐ、取付部３ｑで取付けられたホルダ５ｐ、ホルダ５ｑが設けられ、これらホルダ５ｐ、ホルダ５ｑに２つに分割形成したカバー部材６ｐとカバー部材６ｑの裏面端部を係合させることで、２枚のカバー部材６ｐ、６ｑで間隙Ｓを覆うようにしてある。そして、一方のカバー部材６ｑはねじ１８でホルダ５ｑに固定し、他方のカバー部材６ｐは係留索７で第一構造物１側に係留して落下を防止させるようにしたものであり、係留索７の一端はカバー部材６ｐの側縁６ｐｂに取付けた索止金具８の索支持部８ｃへ止着し、他端はホルダ５ｐに２個以上の索孔１６をあけた索支持部１７を設けて、この索支持部１７に止着させることを特徴とする。
【００３０】
上記構成によれば、第一構造物１の壁体（ｂ１）側に設けられるホルダ５ｐの索支持部１７と、カバー部材６ｐの側縁６ｐｂに取付けられる索止金具８の索支持部８ｃに、それぞれあけられる複数個以上の索孔１４、索孔１６に鋼線ワイヤ等の係留索７の端部を挿し通すと、係留索７の両端部は蛇行して索孔１４、索孔１６と摩擦係合し、抜けやずれを生じない強固な支持を行われるため、地震等の発生時等にもカバー部材６ｐはホルダ５ｐに係留されて落下を確実に防止されるもので、しかも、係留索７の一端の止着にはカバー部材６ｐのホルダ５ｐを索支持部１７として利用するから、使用部品を減らすとともに止着を確実にすることができる。
【産業上の利用可能性】
【００３１】
本発明は、索止金具を構造物側へもカバー部材側へも取付可能として、カバー部材の係留索による落下防止を簡単確実に行えるエキスパンションジョイントカバーの落下防止構造を提供するのに有効である。
【符号の説明】
【００３２】
Ａ  エキスパンションジョイントカバーの落下防止構造
１  第一構造物
２  第二構造物
Ｓ  間隙
５  ホルダ
６  カバー部材
７  係留索
８  索止金具
８ａ  第１取付部
８ｂ  第２取付部
８ｃ  索支持部
９  ねじ
１１  ねじ
１３  段差
１４  索孔
【図１】
0005478602.tif 000002
【図２】
0005478602.tif 000003
【図３】
0005478602.tif 000004
【図４】
0005478602.tif 000005
【図５】
0005478602.tif 000006
【図６】
0005478602.tif 000007
【図７】
0005478602.tif 000008
【図８】
0005478602.tif 000009
【図９】
0005478602.tif 000010
【図１０】
0005478602.tif 000011
【図１１】
0005478602.tif 000012
【図１２】
0005478602.tif 000013
【図１３】
0005478602.tif 000014
【図１４】
0005478602.tif 000015
【図１５】
0005478602.tif 000016